(57)【要約】【課題】本発明は光学レンズ分野に関し、レンズモジュールを提供する。【解決手段】本発明では、レンズモジュールは、収容空間を有するレンズ収容部と、収容空間内に設けられるレンズとを含み、レンズ収容部は、レンズの光軸を周回して収容空間を囲む内壁と、レンズの光軸を周回し、内壁に対向して設けられる外壁とを含み、前記レンズモジュールは、少なくとも一部の前記外壁の周縁の周りに設けられて当該外壁を被覆する緩衝材をさらに含む。本発明は、組立工程において損傷することが容易ではなく、それ自体の性能に影響を与えるのを回避するレンズモジュールを提供する。【選択図】図１
2020024390.tif 000002
【特許請求の範囲】
【請求項１】
収容空間を有するレンズ収容部と、前記収容空間内に設けられるレンズとを含むレンズモジュールであって、
前記レンズ収容部は、前記レンズの光軸を周回して前記収容空間を囲む内壁と、前記レンズの光軸を周回し、前記内壁に対向して設けられる外壁とを含み、
前記レンズモジュールは、前記外壁の周縁の少なくとも一部の周りに設けられて当該外壁の周縁の少なくとも一部に被覆される緩衝材をさらに含む、ことを特徴とするレンズモジュール。
【請求項２】
前記レンズ収容部は、物体側より前記光軸の方向に沿って像側へ延在する第１筒壁と、前記第１筒壁の像側に隣接する縁より前記光軸に直交しつつ当該光軸から離間する方向に向かって延在する第２筒壁と、前記第２筒壁の前記光軸から離間する縁より前記光軸の方向に沿って像側へ延在する第３筒壁とを含む、ことを特徴とする請求項１に記載のレンズモジュール。
【請求項３】
前記緩衝材は、前記第２筒壁および前記第３筒壁を覆う、ことを特徴とする請求項２に記載のレンズモジュール。
【請求項４】
前記レンズ収容部は、前記収容空間を囲む鏡筒であり、
前記鏡筒は、第４筒壁をさらに含み、前記第４筒壁には、光通過孔が設けられ、前記第４筒壁は、前記第１筒壁の物体側に隣接する縁より前記光軸に直交する方向に沿って延在する、ことを特徴とする請求項３に記載のレンズモジュール。
【請求項５】
前記レンズ収容部は、前記収容空間を囲む鏡筒と、前記鏡筒を収容するレンズホルダとを含み、
前記レンズホルダは、前記第１筒壁と、前記第２筒壁と、前記第３筒壁とを含む、ことを特徴とする請求項３に記載のレンズモジュール。
【請求項６】
前記緩衝材は、前記第１筒壁をさらに覆う、ことを特徴とする請求項５に記載のレンズモジュール。
【請求項７】
前記緩衝材は、前記レンズ収容部の外壁上に被覆されている、ことを特徴とする請求項１に記載のレンズモジュール。
【請求項８】
前記レンズ収容部は、前記緩衝材と一体的に射出成形される、ことを特徴とする請求項１に記載のレンズモジュール。
【請求項９】
前記緩衝材は、軟質のゴムリングである、ことを特徴とする請求項７または８に記載のレンズモジュール。
【発明の詳細な説明】
【技術分野】
【０００１】
本発明は、光学レンズ分野に関し、特にレンズモジュールに関する。
【背景技術】
【０００２】
近年、科学技術の継続的なに伴い、電子機器は継続的にスマート化へ発展し、デジタルカメラに加えて、例えばタブレットＰＣ、携帯電話などの携帯型電子機器もレンズモジュールが装備されている。従来技術では、レンズモジュールは、一般に、レンズと、レンズを収容するレンズ収容部とを含む。
【０００３】
本発明者らは、従来技術に少なくとも以下の課題が存在することを見出した。電子機器内の部品が密集であるため、レンズモジュールを電子機器に組み立てる組立工程において、電子機器におけるレンズモジュールの周囲に設けられる部品がレンズモジュールのレンズ収容部と硬く接触し、ひいてはレンズモジュールのレンズ収容部を押圧するのに起因して、レンズモジュールの損傷を招来し易く、さらにレンズモジュールの性能に影響を与えてしまう。
【発明の概要】
【発明が解決しようとする課題】
【０００４】
本発明の目的は、組立工程において損傷することが容易ではなく、それ自体の性能に影響を与えるのを回避するレンズモジュールを提供することにある。
【課題を解決するための手段】
【０００５】
上記技術問題を解決するために、本発明の実施形態は、レンズモジュールを提供し、当該レンズモジュールは、収容空間を有するレンズ収容部と、収容空間内に設けられるレンズとを含み、レンズ収容部は、レンズの光軸を周回して収容空間を囲む内壁と、レンズの光軸を周回し、内壁に対向して設けられる外壁とを含み、前記レンズモジュールは、前記外壁の周縁の少なくとも一部の周りに設けられて当該外壁の周縁の少なくとも一部に被覆される緩衝材をさらに含む。
【０００６】
従来技術と比較して、本発明の実施形態では、レンズ収容部の外壁に緩衝材を設けるため、レンズ収容部と電子機器におけるレンズモジュールの周囲に設けられる部品とを隔てることができ、緩衝材が弾性変形することにより、電子機器におけるレンズモジュールの周囲に設けられる部品がレンズ収容部に押圧されて衝突することを緩衝することで、レンズモジュールが組立工程において破損しにくくなり、レンズモジュールの性能に影響を与えるのを回避する。なお、電子機器の使用中に、緩衝材はレンズモジュールが受ける振動をさらに緩衝することができ、レンズモジュールをさらに保護する。
【０００７】
また、レンズ収容部は、物体側より光軸の方向に沿って像側へ延在する第１筒壁と、第１筒壁の像側に隣接する縁より光軸に直交しつつ当該光軸から離間する方向に向かって延在する第２筒壁と、第２筒壁の光軸から離間する縁より光軸の方向に沿って像側へ延在する第３筒壁とを含む。
【０００８】
また、緩衝材は、第２筒壁および第３筒壁を覆う。第２筒壁と第３筒壁とが光軸から離間する方向に向かって外へ突出するため、当該部分が外部と干渉、衝突し易いので、第２筒壁と第３筒壁とに緩衝材を覆うことにより、レンズモジュールが損傷するのを効率的に回避できる。
【０００９】
また、レンズ収容部は、収容空間を囲む鏡筒であり、鏡筒は、第４筒壁をさらに含み、第４筒壁には光通過孔が設けられており、第４筒壁は、第１筒壁の物体側に隣接する縁より光軸に直交する方向に沿って延在する。
【００１０】
また、レンズ収容部は、収容空間を囲む鏡筒と、鏡筒を収容するレンズホルダとを含み、レンズホルダは、第１筒壁と第２筒壁と第３筒壁とを含む。
【００１１】
また、緩衝材は、第１筒壁をさらに覆う。このようにすれば、緩衝材は、レンズモジュールをより大きな程度で保護することができ、それによって、レンズモジュールの性能に影響を与えないことをさらに保証する。
【００１２】
また、緩衝材は、レンズ収容部の外壁上に被覆されている。
【００１３】
また、レンズ収容部は、緩衝材と一体的に射出成形される。
【００１４】
また、緩衝材は、軟質のゴムリングである。軟質のゴムリングは、安価でコストが低下できる。
【図面の簡単な説明】
【００１５】
【図１】本発明の第１実施形態に係るレンズモジュールの断面模式図である。
【図２】本発明の第１実施形態に係るレンズモジュールの緩衝材の断面模式図である。
【図３】本発明の第１実施形態に係るレンズモジュールの鏡筒の断面模式図である。
【図４】本発明の第２実施形態に係るレンズモジュールの断面模式図である。
【図５】本発明の第２実施形態に係るレンズモジュールの緩衝材の断面模式図である。
【図６】本発明の第２実施形態に係るレンズモジュールのレンズホルダの断面模式図である。
【発明を実施するための形態】
【００１６】
本発明の目的、解決手段およびメリットがより明瞭になるように、以下では、図面を参照しながら本発明の各実施形態を詳細に説明する。しかしながら、本発明の各実施形態において、本発明をよりよく理解するために多くの技術詳細を述べることは、当業者に理解され得る。しかし、これらの技術詳細および以下の各実施形態に基づく様々な変更および修正がなくても、本発明の各請求項が保護請求する技術案も実現できる。
【００１７】
本発明の第１実施形態は、レンズモジュール１００に関するものである。図１〜３に示すように、前記レンズモジュール１００は、レンズ収容部１１とレンズ１２とを含み、レンズ収容部１１は収容空間１１０を有し、レンズ１２は収容空間１１０内に設けられ、レンズ収容部１１は、内壁１１１と外壁１１２とを含み、内壁１１１はレンズ１２の光軸ＯＯ’を周回して収容空間１１０を囲み、外壁１１２はレンズ１１の光軸ＯＯ’を周回し、内壁１１１と対向して設けられ、外壁１１２には緩衝材１３が設けられている。
【００１８】
従来技術と比較して、本発明の実施形態では、レンズ収容部１１の外壁１１２に緩衝材１３を設けるため、レンズ収容部１１と電子機器におけるレンズモジュール１００の周囲に設けられる部品とを隔てることができ、緩衝材が弾性変形することにより、電子機器におけるレンズモジュール１００の周囲に設けられる部品がレンズ収容部１１に押圧されて衝突することを緩衝することで、レンズモジュール１００が組立工程において破損しにくくなり、レンズモジュール１００の性能に影響を与えるのを回避する。なお、電子機器の使用中に、緩衝材１３はレンズモジュール１００が受ける振動をさらに緩衝することができ、レンズモジュール１００をさらに保護する。
【００１９】
以下では、本実施形態のレンズモジュールの詳細を具体的に説明するが、以下の内容は単に理解を容易にするために提供される実現詳細に過ぎず、本方案を実施するための必須なものではない。
【００２０】
具体的に、レンズ収容部１１は、物体側より光軸の方向に沿って像側へ延在する第１筒壁１１３と、第１筒壁１１３の像側に隣接する縁より光軸ＯＯ’に直交しつつ光軸ＯＯ’から離間する方向に向かって延在する第２筒壁１１４と、第２筒壁１１４の光軸ＯＯ’から離間する縁より光軸ＯＯ’の方向に沿って像側へ延在する第３筒壁１１５とを含む。すなわち、第２筒壁１１４と第３筒壁１１５とは、第１筒壁１１３にとって光軸ＯＯ’から離間する方向に向かって突出して段差を形成する。
【００２１】
なお、緩衝材１３は、第２筒壁１１４および第３筒壁１１５を覆ってもよい。第２筒壁１１４と第３筒壁１１５とが光軸ＯＯ’から離間する方向に向かって外へ突出するため、当該部分が外部と干渉、衝突し易いので、第２筒壁１１３と第３筒壁１１５とに緩衝材１３を覆うことにより、レンズモジュールが損傷するのを効率的に回避できる。具体的に、緩衝材１３は、光軸ＯＯ’に直交しつつ光軸ＯＯ’から離間する方向に沿って延在する第１側壁１３１と、第１側壁１３１の光軸ＯＯ’から離間する縁より光軸ＯＯ’の方向に沿って像側へ延在する第２側壁１３２とを含み、第１側壁１３１は第２筒壁１１４を覆い、第２側壁１３２は第３筒壁１１５を覆う。
【００２２】
本実施形態では、レンズ収容部１１は、収容空間１１０を囲む鏡筒１４であり、鏡筒１４は、第４筒壁１１６をさらに含んでもよく、第４筒壁１１６には光通過孔１１６０が設けられ、第４筒壁１１６は第１筒壁１１３の物体側に隣接する縁より光軸ＯＯ’に直交する方向に沿って延在する。第４筒壁１１６０が光通過孔を囲むことにより、外部の光が光通過孔１１６０を通過した後でレンズの結像のための光学部のみに入射し、光がレンズの光学部を周回する当接部に入射して迷光を形成するのを回避して、レンズモジュール１００の結像品質に影響を与えない。
【００２３】
緩衝材１３がレンズ収容部１１の外壁１１２上に被覆されてもよいことは、理解され得る。直接に緩衝材１３をレンズ収容部１１の外壁１１２に直接被覆して緩衝材１３とレンズ収容部１１とを固定することで、操作が簡単で、便利且つ迅速で、時間と労力を節約できる。
【００２４】
本発明の他の実施形態では、レンズ収容部１１は、緩衝材１３と一体的に射出成形されてもよい。射出方式によって緩衝材１とレンズ収容部１１とを一体的に成形することで、緩衝材１３とレンズ収容部１１とをより強固に固定でき、レンズモジュール１００の信頼性の向上に有利である。
【００２５】
説明すべきことは、緩衝材１３は軟質のゴムリングであってもよい。軟質のゴムリングは安価でコストが低下できる。本実施形態では、軟質のゴムリングの材質はゴムであってもよい。
【００２６】
本発明の第２実施形態は、レンズモジュール２００に関する。第２実施形態は第１実施形態とほぼ同じであり、主な相違点は、第１実施形態では、レンズ収容部１１が収容空間１１０を囲む鏡筒１４であるのに対し、本発明の第２実施形態では、図４〜６に示すように、レンズモジュール２００がレンズ収容部２１とレンズ２２とを含み、レンズ収容部２１が収容空間２１０を囲む鏡筒２４と鏡筒２４を収容するレンズホルダ２５とを含み、レンズホルダ２５が第１筒壁１１３と第２筒壁１１４と第３筒壁１１５とを含む、ということにある。
【００２７】
すなわち、第１実施形態では、レンズモジュール１００は、一体型の結像レンズであり、レンズモジュール１００は、レンズ１２と、レンズ１２を収容する鏡筒１４とを含み、レンズ収容部１１は鏡筒１４である。これに対し、本発明の第２実施形態では、レンズモジュール２００は、セパレート型の結像レンズであり、レンズモジュール２００は、レンズ２１と、レンズ２１を収容する鏡筒２４と、鏡筒を収容するレンズホルダ２５とを含み、レンズホルダの２５外壁には緩衝材２３が設けられ、レンズホルダ２５は第１筒壁２１３と第２筒壁２１４と第３筒壁２１５とを含む。
【００２８】
なお、緩衝材２３は、第２筒壁２１４および第３筒壁２１５を覆うだけでなく、第１筒壁２１３も覆う。第１実施形態では、緩衝材１３が第２筒壁１１４と第３筒壁１１５のみを覆うのと比較して、本実施形態では、緩衝材２３が第１筒壁２１３をさらに覆うため、レンズモジュール２００をより大きな程度で保護することができ、それによって、レンズモジュール２００の性能に影響を与えないことをさらに保証する。具体的に、緩衝材２３が第１側壁２３１と第２側壁２３２とを含むだけでなく、第１側壁２３１の光軸ＯＯ’に隣接する縁より光軸ＯＯ’の方向に沿って物体側へ延在する第３側壁２３３をさらに含み、第３側壁２３３は第１筒壁２１３を覆う。
【００２９】
本発明の図面における断面図は模式図に過ぎず、断面を有する構造の一部のみを示しており、鏡筒、レンズホルダなどは環状構造であり、図面に示す断面線を有する部分だけを含むわけではない。
【００３０】
上記各実施形態は、本発明を実現する具体的な実施例であり、実際の適用において、本発明の精神および範囲を逸脱することなく、形態および詳細において様々な変更がなされ得ることは、当業者には理解され得る。
【図１】
2020024390.tif 000003
【図２】
2020024390.tif 000004
【図３】
2020024390.tif 000005
【図４】
2020024390.tif 000006
【図５】
2020024390.tif 000007
【図６】
2020024390.tif 000008